(57)【要約】【課題】簡易的に各種ケーブルを適切な状態で保持可能なケーブル整理具を提供する。【解決手段】電気機器を固定するラックの側面に所定の間隔をもって対向して配置される２個の側面部材２ａ及び２ｂと、側面部材２ａと２ｂとの間に架設され、電気機器に接続されたケーブルを固定するケーブル固定部材３ａ、３ｂ、３ｃ及び３ｄとを設けるとともに、これらを離隔して配置し、さらに、ケーブル固定部材３ａ、３ｂ、３ｃ及び３ｄの間の離隔距離を変更するための機能を設ける。【選択図】図１
2005183581.tif 000002
【特許請求の範囲】
【請求項１】
電気機器を固定するラックの側面に所定の間隔をもって対向して配置された２個の側面部材と、
前記２個の側面部材の間に架設され、前記電気機器に接続されたケーブルを固定する少なくとも２個のケーブル固定部材と
を有し、
前記少なくとも２個のケーブル固定部材は、互いに離隔して配置され、
さらに、前記少なくとも２個のケーブル固定部材間の離隔距離を変更するための離隔距離変更手段を有する
ことを特徴とするケーブル整理具。
【請求項２】
前記ケーブル固定部材は、
梁状部材と、
前記梁状部材に対して着脱可能に構成され、前記ケーブルを把持する把持部材と
を有する
ことを特徴とする請求項１に記載のケーブル整理具。
【請求項３】
前記離隔距離変更手段は、前記側面部材の其々に、その長手方向に沿って設けられ、且つ前記ケーブル収容部材の端部と選択的に係合可能な構造を有することを特徴とする請求項１又は２に記載のケーブル整理具。
【請求項４】
前記側面部材の長手方向の長さを調節するための長さ調節手段を有することを特徴とする請求項１乃至３のいずれか１項に記載のケーブル整理具。
【発明の詳細な説明】
【技術分野】
【０００１】
本発明は、ラックに固定された電気機器のケーブルを整理するためケーブル整理具に関する。
【背景技術】
【０００２】
通信装置（パッチパネル等も含む）、電源装置といった電気機器を運用するにあたっては、これらを所定の場所に固定する必要がある。  
例えば、パッチパネル等を固定するにあたっては、通常、１９インチラック（ケーブル固定部材）が用いられている（例えば、非特許文献１参照）。
【非特許文献１】日東工業株式会社、総合カタログ  ２００３−２００４
【発明の開示】
【発明が解決しようとする課題】
【０００３】
しかしながら、上記のようなラックを用いるにあたっては、以下に示すような解決すべき課題が存在する。  
パッチパネル等の背面には、通常複数本のケーブルが接続されており、通常、このパッチパネルをラックに固定した後には、複数本のケーブルは特に整理せずにそのまま放置しておくか、タイラップバンド等で固縛していた。
【０００４】
しかし、このような状態では、システムの構築後に何らかの不具合が生じた場合、不具合箇所の特定や再施工を行うことには困難が伴うため、人的及び時間的コストの増大を招いている。
【０００５】
また、特にツイストペアケーブルを用いて、高周波数帯域までを保証する場合においては、ケーブルに対して極度な曲げや把持力が加わった際、そのケーブルの伝送性能を劣化させることとなり、この伝送性能の劣化を防止するために、ケーブルの直径、材質等に応じて適切な曲げ率が定められているが、施工者の作業熟練度により、ケーブルが適切な曲げ率でもって固定されない場合もあり、伝送性能をさらに劣化させる原因となっていた。
【０００６】
また、ツイストペアケーブルを用いる構内配線システムの最高グレードであるカテゴリ６に分類されるシステムにおいては、２５０ＭＨｚ迄の伝送帯域を保証する必要があるため、その電気的特性に関する要求条件を満足させるためには、施工における各種配慮が従来以上に必要である。
【０００７】
特に、大量のツイストペアケーブルを極度に接近した状態で設置することにより、ケーブルの電気的特性に関する評価項目である近端漏話減衰量が増大することも懸念されている。
【０００８】
また、通信ケーブルや電源ケーブルに対して極度な曲げや把持力が加わることにより生ずる断線などの物理的損傷も防止する必要がある。
【０００９】
このような事情に鑑み、本発明は、簡易的に各種ケーブルを適切な状態で保持可能なケーブル整理具を提供することを目的とする。
【課題を解決するための手段】
【００１０】
請求項１に記載の本発明は、電気機器を固定するラックの側面に所定の間隔をもって対向して配置された２個の側面部材と、２個の側面部材の間に架設され、電気機器に接続されたケーブルを固定する少なくとも２個のケーブル固定部材とを有し、少なくとも２個のケーブル固定部材は、互いに離隔して配置され、さらに、少なくとも２個のケーブル固定部材間の離隔距離を変更するための離隔距離変更手段を有することを要旨とする。
【００１１】
請求項２に記載の本発明は、請求項１に記載の発明において、ケーブル固定部材は、梁状部材と、梁状部材に対して着脱可能に構成され、ケーブルを把持する把持部材とを有することを要旨とする。
【００１２】
請求項３に記載の本発明は、請求項１又は２に記載の発明において、離隔距離変更手段は、側面部材の其々に、その長手方向に沿って設けられ、且つケーブル収容部材の端部と選択的に係合可能な構造を有することを要旨とする。
【００１３】
請求項４に記載の本発明は、請求項１乃至３に記載の発明において、側面部材の長手方向の長さを調節するための長さ調節手段を有することを要旨とする。
【発明の効果】
【００１４】
本発明においては、電気機器を固定するラックの側面に所定の間隔をもって対向して配置された２個の側面部材と、２個の側面部材の間に架設され、電気機器に接続されたケーブルを固定する少なくとも２個のケーブル固定部材とを有し、少なくとも２個のケーブル固定部材は、互いに離隔して配置され、さらに、少なくとも２個のケーブル固定部材間の離隔距離を変更するための離隔距離変更手段を有するため、固定されるケーブルの曲げ率を自由に変化させることができ、ケーブルの種類に応じて、前記の適切な曲げ率をもってケーブルを固定することができるため、ケーブルの伝送性能の劣化や物理的損傷を防止することができる。
【００１５】
また、ケーブル固定部材は、梁状部材と、梁状部材に対して着脱可能に構成され、ケーブルを把持する把持部材とを有するため、ケーブルを確実に固定することができる。
【００１６】
また、側面部材の長手方向の長さを調節するための長さ調節手段を有するため、奥行が異なる様々なラックに適用できる。
【発明を実施するための最良の形態】
【００１７】
以下、図面を用いつつ本発明のケーブル整理具についての説明を行う。  
本発明のケーブル整理具は、簡易的に各種ケーブルを適切な状態で保持するためのものであるが、以下の実施例は、あくまでも本発明の説明のためのものであり、本発明の範囲を制限するものではない。したがって、当業者であれば、これらの各要素又は全要素を含んだ各種の実施例を採用することが可能であるが、これらの実施例も本発明の範囲に含まれる。  
また、実施例を説明するための全図において、同一の要素には同一の符号を付与し、これに関する反復説明は省略する。
【実施例】
【００１８】
図１は、本発明の一実施例に係るケーブル整理具１の斜視図であり、図２は、ケーブル整理具１の一部を分解した状態を示す斜視図である。  
なお、本実施の形態においては、電気器具がパッチパネルである場合を示すが、これに限定されず、通信装置本体や電源装置等がラックに固定される場合にも適用可能である。
【００１９】
図１に示すように、ケーブル整理具１は、パッチパネルを固定するためのラックの側面に所定の間隔（ラックの幅とほぼ同等）をもって対向して配置された長方形状の側面部材２ａ及び２ｂ（以下、適宜これらを“側面部材２”と総称する）と、側面部材２ａと２ｂとの間に架設、つまりケーブル整理具１の短手方向に架け渡され、パッチパネルのケーブルを固定するのケーブル固定部材３ａ、３ｂ、３ｃ及び３ｄ（以下、適宜これらを“ケーブル固定部材３”と総称する）とを備える。  
なお、側面部材２ａ及び２ｂの其々には、その長手方向が端面にラックと接続するため折り返し部が設けられている。
【００２０】
また、図１及び図２に示すように、側面部材２ａは、板状の第１部材７ａ１と、同じく板状の第２部材７ａ２とを備え、また、側面部材２ｂも、板状の第１部材７ｂ１と、同じく板状の第２部材７ｂ２とを備える。
【００２１】
第１部材７ａ１及び７ｂ１（以下、適宜これらを“第１部材７１”と総称する）の其々は、４個の螺子穴１３（図２）を有し、第２部材７ａ２及び７ｂ２の其々（以下、適宜これらを“第２部材７２”と総称する）の其々は２本の溝部９を有している。
【００２２】
また、第１部材７１及び第２部材７２は、金属製であり、強度を十分なものとするために、その短手方向側の端面が折り曲げられている。
【００２３】
螺子８は、溝部９及び螺子穴１３に挿入され、第１部材７１と第２部材７２とがスライド可能な状態で接続される。これにより、側面部材２の長手方向の長さを自由に調節可能となり、奥行が異なる様々なラックに適用可能となる。
【００２４】
また、ケーブル固定部材３の其々は、第１部材７１に設けられた螺子穴６と図示しない螺子によりこの第１部材７１に接続されている。
【００２５】
また、ケーブル固定部材３の其々は、互いにケーブル整理具１の長手方向に離隔されて配置されている。
【００２６】
さらに、螺子穴６は、第１部材の長手方向に沿って複数個設けられており、これらから任意の螺子穴を選択し、これでもってケーブル固定部材３を接続することにより、これらの間の離隔距離（間隔）を自由に変更することができる。  
なお、ケーブル固定部材３の詳細については後述する。
【００２７】
また、上記のようなケーブル整理具１を用いるにあたっては、図２に示すように、側面部材２がパッチパネル１１と共にラック（１９インチラック）１０に螺子止めされ、パッチパネル１１に接続されたケーブル１２ａ及び１２ｂ（以下、適宜これらを“ケーブル１２”と総称する）がケーブル固定部材３により固定される。
【００２８】
次に、図３を用いて前記のケーブル固定部材３の詳細を説明する。なお、本図においては、ケーブル固定部材３ａを例としているが、これとケーブル固定部材３ｂ、３ｃ及び３ｄの形状等に差異はない。
【００２９】
ケーブル固定部材３ａは、梁状部材４ａとケーブル把持部材５ａ（以下、適宜、ケーブル把持部材５ａ、５ｂ、５ｃ及び５ｄを“ケーブル把持部材５”総称する）とを備える。
【００３０】
梁状部材４ａは、金属製であり、その両端部に螺子穴１４が設けられた折り返し部を備え、この螺子穴１４の直径は、螺子穴６のそれに対応しており、螺子１５により第１部材７ａ１と接続される。
【００３１】
ケーブル把持部材５ａは、樹脂のような弾性を有する物質により作製され、上面の切り込みが設けられた部分からケーブルが挿入され、これが固定される。また、その形状は、略正方形であり、一端固定されたケーブルが不意に外れることを防止できる。
【００３２】
また、ケーブル把持部材５ａは、挿入孔１６に挿入されることにより梁状部材４ａに固定されている。
【００３３】
また、ケーブル把持部材５ａは、自由に着脱可能であり、ケーブル１２の直径等に応じて、これに適応したサイズを有する部材に自由に交換可能である。
【００３４】
さらに、ケーブル１２の本数に応じて、ケーブル把持部材５ａの数量も自由に変更可能である。
【００３５】
次に、図４を用いて上記のようなケーブル整理具１におけるケーブルの固定について説明する。  
本図においては、パッチパネル１１の背面の上段に接続されたケーブル１２ａがケーブル固定部材３ａ及び３ｄによりラック１０の奥行方向に向けてその先端部が下向きになる状態で固定され、一方、パッチパネル１１の背面の下段に接続されたケーブル１２ｂがケーブル固定部材３ｂ及び３ｃによりラック１０の奥行方向に向けてその先端部が上向きになる状態で固定されている、つまり、ケーブル１２ａと１２ｂとが交差した状態で固定されている状態を示している。
【００３６】
しかし、ケーブル整理具１は、上記のような構成を有することにより、例えば、ケーブル１２ｂをケーブル固定部材３ａ及び３ｄによりラック１０の奥行方向に向けて下向きになる状態で固定し、一方、ケーブル１２ａをケーブル固定部材３ｂ及び３ｃによりラック１０の奥行方向に向けて上向きになる状態で固定することもできる。
【００３７】
また、図５に示すように、例えば、ケーブル１２ａをケーブル固定部材３ａ及び３ｃで固定し、ケーブル１２ｂをケーブル固定部材３ｂ及び３ｄで固定することもできる。
【００３８】
また、ケーブル固定部材３を移動させ、其々の間の離隔距離（間隔）を自由に変更することができる点は前述したが、これにより、図中に２点鎖線で示すとおり、固定されるケーブル１２ａ及び１２ｂの全ての曲げ率を自由に変化させることができ、これにより、ケーブルの種類に応じて、前記の適切な曲げ率をもってケーブルを固定することができるため、ケーブルの伝送性能の劣化や物理的損傷を防止することができる。
【００３９】
また、ケーブル把持部材５により、各ケーブルは所定の間隔をもって固定されるため、各ケーブル間で発生する近端漏話減衰量が増大することも防止できる。
【００４０】
また、図示するようにケーブル固定部材３の其々は、何らかの状況によりケーブル１２が垂下することを防止するためのテーパ（傾斜）部を有しているため、これによっても、ケーブルの伝送性能の劣化や物理的損傷を防止することができる。
【００４１】
また、図６及び図７に示すとおり、隣接する全てのケーブルが交差する状態で固定することも可能である。  
この場合、各ケーブル同士を並行させて固定しないため、各ケーブル間で発生する近端漏話減衰量が増大することを更に確実に防止できる。
【００４２】
なお、本実施例におけるケーブル整理具１の長手方向側の長さ（奥行）は約７００ｍｍ（前記の溝部９等により変化する場合もある）、側面部材２の短手方向の長さ（全高）は約８８ｍｍ、側面部材２ａと２ｂとの間隔（ケーブル固定部材３の長さ、つまり全幅）は約４４５ｍｍ、ラック１０と接続するための折り返し部の幅は約２２ｍｍである
また、本実施例においては、パッチパネル１１として、ケーブルが上下二段にわたって接続されるものを示し、これにあわせて、ケーブル整理具１が４個のケーブル固定部材３を有する構成としたが、これに限定されず、ケーブルが一段のみ接続されるパッチパネルやケーブルが３段以上にわたって接続されるパッチパネルにも適用可能であり、これにあわせて、ケーブル固定部材３の個数を自由に変更することが可能である。
【００４３】
また、本発明のケーブル整理具は、全幅等を調整することにより１９インチラック以外のラックにも適用可能であり、さらに、通信ケーブルや電源ケーブルに限らず、様々な種類のケーブルを固定することができる。
【図面の簡単な説明】
【００４４】
【図１】本発明の一実施例に係るケーブル整理具の斜視図である。
【図２】図１のケーブル整理具の一部を分解した状態を示す斜視図である。
【図３】図１のケーブル固定部材の拡大図である。
【図４】図１のケーブル整理具におけるケーブル固定状態の一例を示す斜視図である。
【図５】図４のケーブル固定具の断面図である。
【図６】図１のケーブル整理具におけるケーブル固定状態の別の例を示す斜視図である。
【図７】図６のケーブル固定具の断面図である。
【符号の説明】
【００４５】
１    ケーブル整理具
２ａ、２ｂ    側面部材
３ａ、３ｂ、３ｃ、３ｄ    ケーブル固定部材
４ａ、４ｂ、４ｃ、４ｄ    梁状部材
５ａ、５ｂ、５ｃ、５ｄ    ケーブル把持部材
６    螺子穴
７ａ１、７ｂ１    第１部材
７ａ２、７ｂ２    第２部材
８    螺子
９    溝部
１０    ラック
１１    パッチパネル
１２ａ、１２ｂ    ケーブル
１３    螺子穴
１４    螺子穴
１５    螺子
１６    挿入孔
【図１】
2005183581.tif 000003
【図２】
2005183581.tif 000004
【図３】
2005183581.tif 000005
【図４】
2005183581.tif 000006
【図５】
2005183581.tif 000007
【図６】
2005183581.tif 000008
【図７】
2005183581.tif 000009